(57)【特許請求の範囲】
【請求項１】
樹脂製のシート材が山折りされて閉じられた左辺と、山折りされた前記シート材が溶着されて形成された溶着部によって閉じられた下辺と、開口した上辺と、開口した右辺とを有する表紙及び裏表紙を備え、前記表紙は前記右辺における前記溶着部に近い位置から内方側へ切り欠かれた第１裂け止め部が形成されており、前記表紙と前記裏表紙との間に書類を収納する構成であって、
前記表紙は第１ミシン目が形成されており、
前記第１ミシン目は、前記第１裂け止め部と接続可能に形成されているとともに、前記表紙を上側の第１エリアと下側の第２エリアとに分断可能に形成されていること
を特徴とする書類収納ファイル。
【請求項２】
前記第１ミシン目と前記溶着部の上下方向の間隔は１０ｍｍ以上かつ５０ｍｍ以下に設定されること
を特徴とする請求項１記載の書類収納ファイル。
【請求項３】
前記第１ミシン目は、前記右辺に近い位置から前記左辺に近い位置に近づくにしたがって、前記下辺との間隔が大きくなるように形成されていること
を特徴とする請求項１または２記載の書類収納ファイル。
【請求項４】
前記表紙は前記左辺における前記溶着部に近い位置から内方側へ切り欠かれた第２裂け止め部が形成されており、
前記第１ミシン目は前記第２裂け止め部と接続可能に形成されていること
を特徴とする請求項１〜３のいずれか一項記載の書類収納ファイル。
【請求項５】
前記左辺は第２ミシン目が形成されており、
前記第２ミシン目は、前記第１ミシン目と接続可能に形成されているとともに、前記左辺における前記第１ミシン目との接続箇所から前記左辺における前記溶着部までの区間を開口可能に形成されていること
を特徴とする請求項１〜３のいずれか一項記載の書類収納ファイル。
【請求項６】
前記左辺は第２ミシン目が形成されており、
前記第２ミシン目は、前記第２裂け止め部と接続可能に形成されているとともに、前記左辺における前記第２裂け止め部から前記左辺における前記溶着部までの区間を開口可能に形成されていること
を特徴とする請求項４記載の書類収納ファイル。
【請求項７】
前記裏表紙は、前記右辺に近い位置の第１端部領域において、外縁部側に設けられた第１起点から内方側へ進んでから外縁部側に設けられた第１終点に戻るように第１切込み線が入れられているとともに、前記第１起点と前記第１終点とを結ぶ線を基線として、前記第１起点および前記第１終点から最も離れた位置である第１頂部において前記第１切込み線を分ける第１留め部が形成されており、前記第１留め部が切り離されて前記第１頂部が起立することで前記表紙に係止可能に形成されている主保持部を有し、且つ、前記主保持部の位置に対応する第１外縁部において、外方側へ突出させて設けられた第１インデックス部兼用の第１起立操作タブを有すること
を特徴とする請求項１〜６のいずれか一項記載の書類収納ファイル。
【請求項８】
前記表紙は、前記右辺に近い位置の第２端部領域において、外縁部側に設けられた第２起点から内方側へ進んでから外縁部側に設けられた第２終点に戻るように第２切込み線が入れられているとともに、前記第２起点と前記第２終点とを結ぶ線を基線として、前記第２起点および前記第２終点から最も離れた位置である第２頂部において前記第２切込み線を分ける第２留め部が形成されており、前記第２留め部が切り離されて前記第２頂部が起立することで前記裏表紙に係止可能に形成されている副保持部を有し、且つ、前記副保持部の位置に対応する第２外縁部において、外方側へ突出させて設けられた第２インデックス部兼用の第２起立操作タブを有すること
を特徴とする請求項１〜７のいずれか一項記載の書類収納ファイル。
【請求項９】
前記シート材はポリプロピレンであり、前記シート材の厚みは０．２ｍｍ超かつ０．６ｍｍ以下に設定されること
を特徴とする請求項１〜８のいずれか一項記載の書類収納ファイル。
【請求項１０】
前記表紙は、前記上辺に近い位置且つ前記右辺に近い位置に一対の切れ目を有しており、前記切れ目にカードを差し込んで保持可能な構成であること
を特徴とする請求項１〜９のいずれか一項記載の書類収納ファイル。
【請求項１１】
前記表紙と前記裏表紙のいずれかないしは両方は有色部を有しており、前記有色部によって前記書類の片面ないしは両面が隠れる構成であること
を特徴とする請求項１〜１０のいずれか一項記載の書類収納ファイル。
【発明の詳細な説明】
【技術分野】
【０００１】
本発明は、樹脂製のシート材からなる書類収納ファイルに関する。
【背景技術】
【０００２】
書類収納ファイルは、書類を収納するのに便利であるとともに、低コストで大量生産が可能であるため、業務用のみならず一般家庭にも広く普及している。従来、書類収納ファイルは、様々な構成が提案されている。簡素なものでは、樹脂製のシート材を折り曲げた後、一辺を溶着して表紙と裏表紙との間に書類を収納する構成が知られている（特許文献１：実用新案登録第３０２８８９３号公報参照）。一例として、このような構成をベースとして、収納する書類の落下防止を図るための押え片を備える構成が知られている（特許文献２：特開２００１−２３２９８１号公報参照）。また、本願発明者は、裏表紙に、起立可能に形成されている主保持部を有し、主保持部は、開口した右辺と平行に所定の間隔をあけて複数個並設されている構成を提案している（特許文献３：特開２０１８−０５８３３５号公報参照）。なお、書類収納ファイルと書類収納フォルダは同義である。
【先行技術文献】
【特許文献】
【０００３】
【特許文献１】実用新案登録第３０２８８９３号公報
【特許文献２】特開２００１−２３２９８１号公報
【特許文献３】特開２０１８−０５８３３５号公報
【発明の概要】
【発明が解決しようとする課題】
【０００４】
近年、書類収納ファイルは、製造コストを抑えつつ、付加価値を高めて差別化を図る取り組みが行われている。製造コストの観点からすれば特許文献１に例示されるような折曲げと溶着による単純な構成が有利である。また、特許文献２や特許文献３に例示されるような構成であっても、大幅なコスト増加は生じない。しかしながら、これら従来技術に対して、新規な機能によって他社との差別化を訴求する訴求力をより高めることができれば、より付加価値が高くなり、競争力の高い商品になる。
【０００５】
一例として、商談や打ち合わせの場面で、書類収納ファイルに収納した書類を取り出さずに当該書類に署名や押印やマーキングやメモ書き等が可能になれば、従来品にない新たな使い方ができて、さらに便利になり、付加価値のさらなる向上を図ることができる。
【課題を解決するための手段】
【０００６】
本発明は、上記事情に鑑みてなされ、きわめて簡素な構成により製造コストの増加を抑えつつ、収納した書類を取り出さずに当該書類に署名や押印やマーキングやメモ書き等が可能な書類収納ファイルを提供することを目的とする。
【０００７】
本発明は、以下に記載するような解決手段により、前記課題を解決する。
【０００８】
本発明に係る書類収納ファイルは、樹脂製のシート材が山折りされて閉じられた左辺と、山折りされた前記シート材が溶着されて形成された溶着部によって閉じられた下辺と、開口した上辺と、開口した右辺とを有する表紙及び裏表紙を備え、前記表紙は前記右辺における前記溶着部に近い位置から内方側へ切り欠かれた第１裂け止め部が形成されており、前記表紙と前記裏表紙との間に書類を収納する構成であって、前記表紙は第１ミシン目が形成されており、前記第１ミシン目は、前記第１裂け止め部と接続可能に形成されているとともに、前記表紙を上側の第１エリアと下側の第２エリアとに分断可能に形成されていることを特徴とする。
【０００９】
この構成によれば、必要に応じて、表紙をミシン目に沿って開くことができるので、書類収納ファイルに収納した書類を取り出さずに当該書類に署名や押印やマーキングやメモ書き等が可能になる。第１ミシン目に沿って表紙を開いて広げることで、一例として、表紙の第１エリアを下敷きとして活用できる。また、Ａ４サイズの書類収納ファイルをＡ３サイズの下敷きにすることも可能になる。一例として、表紙に一対の切れ目を設けておき、名刺やメッセージカード等のカードを差し込んで保持して書類収納ファイルと対応付けさせることで、カードに関連付けた情報の整理が容易になる。一例として、表紙や裏表紙に有色部を設けておき、書類の片面や両面が隠れる構成にすることで、書類情報を露出させずに、重要度等に応じた情報管理が容易になる。一例として、第１ミシン目に沿って表紙を開くとともに、第２ミシン目に沿って左辺を開くことができるので、表紙の第２エリアをしおりにして冊子等の書類に挟むことができる。よって、契約書など冊子の署名欄や重要事項の記載頁や見積りの記載頁を開いて示すことが容易にできる。
【発明の効果】
【００１０】
本発明によれば、きわめて簡素な構成により製造コストの増加を抑えつつ、多機能の書類収納ファイルを実現することができる。
【図面の簡単な説明】
【００１１】
【図１】本発明の第１の実施形態に係る書類収納ファイルの例を示す概略の正面図である。
【図２】図１の書類収納ファイルにおける表紙を部分的に開いた状態を示す概略の正面図である。
【図３】図１の書類収納ファイルにおける表紙を完全に開いた状態を示す概略の正面図である。
【図４】図１の書類収納ファイルにおける実施態様の例を示す概略の斜視図である。
【図５】図４の例における表紙を開いた状態を示す概略の斜視図である。
【図６】図１の書類収納ファイルにおける実施態様の他の例を示す概略の斜視図である。
【図７】図６の例における表紙を開いた状態を示す概略の斜視図である。
【図８】本発明の第２の実施形態に係る書類収納ファイルの例を示す概略の正面図である。
【図９】図８の書類収納ファイルにおける実施態様の例を示す概略の斜視図である。
【図１０】図９の例における表紙を開いた状態を示す概略の斜視図である。
【図１１】本発明の第３の実施形態に係る書類収納ファイルの例を示す概略の正面図である。
【図１２】図１１の書類収納ファイルの概略の背面図である。
【図１３】図１１の書類収納ファイルにおける実施態様の例を示す概略の斜視図である。
【図１４】図１１の書類収納ファイルを開いた状態を示す概略の斜視図である。
【発明を実施するための形態】
【００１２】
（第１の実施形態）
以下、図面を参照して、本発明の第１の実施形態の書類収納ファイルについて説明する。図１は本実施形態の書類収納ファイル１の概略の正面図であり、図２は表紙２の右上側をめくるようにして部分的に開いた状態を示す概略の正面図であり、図３は表紙２を第１ミシン目１７に沿って完全に開いた状態を示す概略の正面図である。本文において、便宜的に図１に示す位置における、左辺、右辺、上辺、下辺の語を用いて説明を行う。また、実施形態を説明するための全図において、同一の機能を有する部材には同一の符号を付し、その繰り返しの説明は省略する場合がある。
【００１３】
本実施形態の書類収納ファイル１は、図１〜図３に示すように、樹脂製のシート材からなる表紙２と裏表紙３との間に書類を挟み込んで収納する収納具である。本実施形態は、１枚の矩形のシート材が中央で折曲されることによって、閉じられた一辺である左辺１１により連結された表紙２および裏表紙３が形成されている。これと共に、当該左辺１１と対向する位置には、書類の出し入れ部となる開口した一辺である右辺１３が形成されている。つまり、表紙２と裏表紙３は、樹脂製のシート材が山折りされて閉じられた左辺１１と、山折りされた前記シート材が溶着されて形成された溶着部４にて閉じられた下辺１２と、開口した上辺１４と、開口した右辺１３とを有する。溶着部４は、一例として、超音波溶着、熱溶着または超音波溶着と熱溶着の組み合わせによって形成される。
【００１４】
表紙２は、右辺１３Ａにおける溶着部４に近い位置から内方側へ切欠かれた第１裂け止め部１５が形成されている。表紙２は第１ミシン目１７が形成されており、第１ミシン目１７の開始位置は、第１裂け止め部１５と接続可能に形成されているとともに、表紙２を上側の第１エリア２ａと下側の第２エリア２ｂとに分断可能に形成されている。一例として、第１ミシン目１７の開始位置と第１裂け止め部１５の左端位置との間隔は１[ｍｍ]以上かつ２[ｍｍ]以下である。また、表紙２は、左辺１１における溶着部４に近い位置から内方側へ切り欠かれた第２裂け止め部２５が形成されており、第１ミシン目１７の終了位置は第２裂け止め部２５と接続可能に形成されている。一例として、第１ミシン目１７の終了位置と第２裂け止め部２５の右端位置との間隔は１[ｍｍ]以上かつ２[ｍｍ]以下である。
【００１５】
図１〜図３の例における第１ミシン目１７は、下辺１２と平行な位置（略平行な位置を含む）に形成されており、第１ミシン目１７の開始位置は右辺１３Ａにおける第１裂け止め部１５に近い位置であり、第１ミシン目１７の終了位置は左辺１１における第２裂け止め部２５に近い位置である。
【００１６】
図１に示すように、第１ミシン目１７の開始位置から溶着部４の上端までの上下方向の間隔Ｈ１は１０[ｍｍ]以上かつ５０[ｍｍ]以下の範囲内に設定される。また、第１ミシン目１７の終了位置から溶着部４の上端までの上下方向の間隔Ｈ２は１０[ｍｍ]以上かつ５０[ｍｍ]以下の範囲内に設定される。間隔Ｈ１および間隔Ｈ２は、差し込み部８の差し込み深さに相当し、間隔Ｈ１および間隔Ｈ２が１０[ｍｍ]以上確保されていることで、表紙２を第１ミシン目１７に沿って開いた状態においても、差し込み部８によって、書類を容易に差し込みできる。尚且つ、間隔Ｈ１および間隔Ｈ２を５０[ｍｍ]以下にすることで、表紙２を下敷きとして用いた場合に、必要な大きさが確保できる。一例として、間隔Ｈ１および間隔Ｈ２を３０[ｍｍ]以下にすることで、表紙２を下敷きとして用いた場合に、十分な大きさが確保できる。一例として、第１ミシン目１７の開始位置から下辺１２までの上下方向の間隔Ｈ３は１５[ｍｍ]以上かつ５５[ｍｍ]以下に設定される。また、第１ミシン目１７の終了位置から下辺１２までの上下方向の間隔Ｈ４は１５[ｍｍ]以上かつ５５[ｍｍ]以下に設定される。
【００１７】
シート材の材質はポリプロピレン、ポリエチレンテレフタレート、ポリカーボネート、その他既知の合成樹脂が適用される。特に、ポリプロピレンは、成形性や熱安定性に優れており、シート材の材質として好適である。一例として、シート材はポリプロピレンであり、シート材の厚みは０．２[ｍｍ]超かつ０．６[ｍｍ]以下に設定される。つまり、シート材の厚みを０．２[ｍｍ]超にすることで、書類収納ファイル１を、棚や書類保管箱等に容易に縦置きできる、且つ、表紙２を下敷きとして用いた場合に、十分な厚みが確保できる。尚且つ、シート材の厚みを０．６[ｍｍ]以下にすることで、材料コストの増大を抑えつつ、溶着部４の形成を可能として、製造コストを価格競争可能な範囲内にできる。さらに、シート材の厚みを０．５[ｍｍ]以下にすることで、材料コストの増大を抑えつつ、溶着部４の形成が容易できるので、価格競争力に優れた製品にできる。一例として、シート材の厚みは０．２５[ｍｍ]超かつ０．３５[ｍｍ]未満に設定される。
【００１８】
表紙２は、上辺１４に近い位置且つ右辺１３Ａに近い位置に所定間隔で一対の切れ目９ａと切れ目９ｂを有しており、切れ目９ａと切れ目９ｂに、名刺等のカードをそれぞれ差し込んで保持可能な構成である。この構成によれば、名刺等のカードを差し込んで保持して書類収納ファイル１と対応付けさせることで、カードに関連付けた情報の整理が容易になる。一例として、表紙２と裏表紙３のいずれかないしは両方は有色部を有しており、前記有色部によって前記書類の片面ないしは両面が隠れる構成である。これにより、書類情報を露出させずに、重要度等に応じた情報管理が容易になる。一例として、裏表紙３に有色部を設けておき、書類の片面が隠れる構成にする。一例として表紙２と裏表紙３とにそれぞれ有色部を設けておき、書類の両面が隠れる構成にする。
【００１９】
裏表紙３は、右辺１３Ｂに近い位置の第１端部領域において、外縁部側に設けられた起点から内方側へ進んでから外縁部側に設けられた終点に戻る連続した切込み線が入れられて、該起点と該終点とを結ぶ線を基線として、前記起点および前記終点から最も離れた位置である頂部が起立することで表紙２に係止可能に形成されている主保持部２０を有し、且つ、主保持部２０の位置に対応する第１外縁部において、外方側へ突出させて設けられたインデックス部兼用の第１起立操作タブ２２を有する。この構成によれば、表紙２と裏表紙３との間に書類を挟み込んだ後、主保持部２０を起立させてから戻すように動作させることによって、主保持部２０で前記書類の端部を挟み込んで保持することができる。また、第１起立操作タブ２２はインデックス部を兼ねる構成となっており、仕分けして収納した複数の書類の内容に対応したタイトル等のインデックス情報をそれぞれ表示することや記載することができるため、主保持部２０によって保持した書類を明確に把握することができる。
【００２０】
続いて、書類収納ファイル１を用いた書類の収納方法について、図４と図５を参照して説明する。一例として、第１の書類（書類群）Ｐ１を、表紙２と裏表紙３との間に収納し、次いで、溶着部４に近い側の主保持部２０を第１の書類Ｐ１よりも上まで起立させてから復元力によって戻すことによって、第１の書類Ｐ１の右端部を挟み込んで保持する。そして、第２の書類（書類群）Ｐ２を、表紙２と先に前記主保持部で保持された第１の書類Ｐ１との間に収納し、次いで、溶着部４から遠い側（上辺１４に近い側）の主保持部２０を第２の書類Ｐ２（ここでは最上面の書類）よりも上まで起立させてから復元力によって戻すことによって、第２の書類Ｐ２の右端部を挟み込んで保持する。この構成による収納方法によれば、表紙２と裏表紙３との間に形成される単一空間において、複数の書類を仕分けして収納することが可能となる。すなわち、上記の構成例では、第１の書類Ｐ１が仕分けして収納でき、第２の書類Ｐ２が仕分けして収納できる。なお、上述の特許文献３（特開２０１８−０５８３３５号公報）に記載の公知技術を、適宜、本願に適用できる。
【００２１】
続いて、書類収納ファイル１の他の例について、図６と図７を参照して説明する。この例では、第１ミシン目１７は、右辺１３Ａに近い位置から左辺１１に近い位置に近づくにしたがって、下辺１２との間隔が大きくなるように形成されている。この構成によって、表紙２を第１ミシン目１７に沿って開いた状態においても、差し込み部８に書類Ｐ１，Ｐ２，Ｐ３を差し込むことが容易にできて、また、これらの書類Ｐ１，Ｐ２，Ｐ３を差し込み部８に差し込んだ状態を維持できる。
【００２２】
一例として、第１の書類（書類群）Ｐ１を、表紙２と裏表紙３との間に収納し、次いで、上辺１４Ｂに最も近い側の主保持部２０を第１の書類Ｐ１よりも上まで起立させてから復元力によって戻すことによって、第１の書類Ｐ１の右端部を挟み込んで保持する。そして、第２の書類（書類群）Ｐ２を、表紙２と先に前記主保持部２０で保持された第１の書類Ｐ１との間に収納し、次いで、上辺１４Ｂと下辺１２との中間位置の主保持部２０を第２の書類Ｐ２よりも上まで起立させてから復元力によって戻すことによって、第２の書類Ｐ２の右端部を挟み込んで保持する。そして、第３の書類（書類群）Ｐ３を、表紙２と先に前記主保持部２０で保持された第２の書類Ｐ２との間に収納し、次いで、溶着部４に最も近い側の主保持部２０を第３の書類Ｐ３（ここでは最上面の書類を含む書類Ｐ３）よりも上まで起立させてから復元力によって戻すことによって、表紙２とともに、第３の書類Ｐ３の右端部を挟み込んで保持する。そして、必要に応じて、表紙２を第１ミシン目１７に沿って開いて、書類収納ファイル１に収納した書類Ｐ３を取り出さずに当該書類のうちの最上面の書類に署名や押印やマーキングやメモ書き等が可能な状態にする。また、適宜、表紙２を下敷きとして用いる。ここで、表紙２を第１ミシン目１７に沿って開くと、溶着部４に最も近い側の主保持部２０は復元力によって、第３の書類Ｐ３の右端部を挟み込んで保持する。このように、上記構成による収納方法によれば、表紙２と裏表紙３との間に形成される単一空間において、複数の書類を仕分けして収納することが可能となる。すなわち、上記の構成例では、第１の書類Ｐ１が仕分けして収納でき、第２の書類Ｐ２が仕分けして収納でき、第３の書類Ｐ３が仕分けして収納できる。
【００２３】
なお、上記以外の構成として、上記の構成に加えて、表紙２の左辺１１Ａと裏表紙３の左辺１１Ｂとに、表紙２の上辺１４Ａと裏表紙３の上辺１４Ｂとから差し込み部８に至る第３ミシン目を形成する場合がある。これによって、表紙２を第１ミシン目１７と第３ミシン目とに沿って裏表紙３から切り離すことが可能になる。切り離された表紙２は下敷きとして使用することができる。そして使用後は、切り離された表紙２は、一例として、差し込み部８に差し込んで戻す。
【００２４】
（第２の実施形態）
以下、図面を参照して、本発明の第２の実施形態の書類収納ファイルについて説明する。図８は本実施形態の書類収納ファイル１の概略の正面図であり、図９は実施態様の例を示す概略の斜視図であり、図１０は表紙２を第１ミシン目１７に沿って開いた状態を示す概略の斜視図である。第２の実施形態では、第１の実施形態と相違する点を中心に説明する。
【００２５】
この例では、表紙２における第１ミシン目１７は、第１裂け止め部１５と接続可能に形成されているとともに、第２裂け止め部２５と接続可能に形成されており、且つ、第１ミシン目１７は、右辺１３Ａに近い位置から左辺１１に近い位置に近づくにしたがって、下辺１２との間隔が大きくなるように形成されている。これによって、表紙２を第１ミシン目１７に沿って開いた状態においても、差し込み部８に書類を差し込むことが容易にできて、また、書類を差し込み部８に差し込んだ状態を維持できる。
【００２６】
一例として、第１ミシン目１７の開始位置から溶着部４の上端までの上下方向の間隔Ｈ１は１０[ｍｍ]以上かつ３０[ｍｍ]未満に設定される。尚且つ、第１ミシン目１７の終了位置から溶着部４の上端までの上下方向の間隔Ｈ２は３０[ｍｍ]超かつ５０[ｍｍ]以下に設定される。好ましくは、間隔Ｈ１は１０[ｍｍ]以上かつ１５[ｍｍ]未満に設定される。尚且つ、間隔Ｈ２は１５[ｍｍ]超かつ３０[ｍｍ]以下に設定される。一例として、第１ミシン目１７の開始位置から下辺１２までの上下方向の間隔Ｈ３は１５[ｍｍ]以上かつ３５[ｍｍ]未満に設定される。また、第１ミシン目１７の終了位置から下辺１２までの上下方向の間隔Ｈ４は２０[ｍｍ]超かつ５５[ｍｍ]以下に設定される。一例として、表紙２は、上辺１４に近い位置且つ右辺１３Ａに近い位置に所定間隔で一対の切れ目９ａと切れ目９ｂを有しており、切れ目９ａと切れ目９ｂに、名刺等のカードをそれぞれ差し込んで保持可能な構成である。
【００２７】
表紙２は、右辺１３Ａに近い位置の第２端部領域において、外縁部側に設けられた第２起点から内方側へ進んでから外縁部側に設けられた第２終点に戻るように第２切込み線が入れられているとともに、前記第２起点と前記第２終点とを結ぶ線を基線として、前記第２起点および前記第２終点から最も離れた位置である第２頂部において前記第２切込み線を分ける第２留め部３０ａが形成されており、第２留め部３０ａが切り離されて前記第２頂部が起立することで裏表紙３に係止可能に形成されている副保持部３０を有し、且つ、副保持部３０の位置に対応する第２外縁部において、外方側へ突出させて設けられた第２インデックス部兼用の第２起立操作タブ３２を有する。この構成によれば、第２留め部３０ａが形成されているので、書類Ｐ２を差し込む際に表紙２における副保持部３０の位置に書類Ｐ２が引っ掛かることが防止できる。そして、表紙２と裏表紙３との間に書類Ｐ１と書類Ｐ２を挟み込んだ後、表紙２を第１ミシン目１７に沿って開く前の状態のみならず、表紙２を第１ミシン目１７に沿って開いた状態においても、副保持部３０を起立させてから戻すように動作させることによって、副保持部３０で書類Ｐ１の端部と書類Ｐ２の端部と裏表紙３の両方を挟み込んで保持することができるので、図９に示すように、書類収納ファイル１の右辺１３Ａと右辺１３Ｂとが離れていかないように留めることができる。また、第２起立操作タブ３２はインデックス部を兼ねる構成となっている。
【００２８】
続いて、書類収納ファイル１を用いた書類の収納方法について、図９と図１０を参照して説明する。一例として、第１の書類（書類群）Ｐ１を、表紙２と裏表紙３との間に収納し、次いで、溶着部４に近い側の主保持部２０を第１の書類Ｐ１よりも上まで起立させてから復元力によって戻すことによって、第１の書類Ｐ１の右端部を挟み込んで保持する。そして、第２の書類（書類群）Ｐ２を、先に前記主保持部２０で保持された第１の書類Ｐ１との間に収納し、次いで、溶着部４から遠い側（上辺１４に近い側）の主保持部２０を第２の書類Ｐ２よりも上まで起立させてから復元力によって戻すことによって、第２の書類Ｐ２の右端部を挟み込んで保持する。そして、表紙２と裏表紙３との間に書類Ｐ１と書類Ｐ２とを挟み込んだ後、副保持部３０を起立させてから戻すように動作させることによって、副保持部３０で書類Ｐ１の端部と書類Ｐ２の端部と裏表紙３の両方を挟み込んで保持する。
【００２９】
このように、上記構成による収納方法によれば、表紙２と裏表紙３との間に形成される単一空間において、複数の書類を仕分けして収納することが可能となる。すなわち、上記の構成例では、第１の書類Ｐ１が仕分けして収納でき、第２の書類Ｐ２が仕分けして収納できる。また、上記構成によれば、必要に応じて、表紙２を第１ミシン目１７に沿って開くことができる。よって、書類収納ファイル１に収納した書類を取り出さずに当該書類のうちの最上面の書類に署名や押印やマーキングやメモ書き等が可能になる。一例として、表紙２を開いて広げることで、表紙２を下敷きとして活用できる。一例として、表紙２に、名刺やメッセージカード等のカードを差し込んで保持して書類収納ファイル１と対応付けさせることで、カードに関連付けた情報の整理が容易になる。そして、表紙２を第１ミシン目１７に沿って開いた状態においても、差し込み部８に書類を差し込むことが容易にできて、また、書類を差し込み部８に差し込んだ状態を維持できる。さらに、表紙２を第１ミシン目１７に沿って開いた状態においても、副保持部３０を起立させてから戻すように動作させることによって、副保持部３０で前記書類の端部と裏表紙３の両方を挟み込んで保持することができるので、書類収納ファイル１の右辺１３Ａと右辺１３Ｂとが離れていかないように留めることができる。よって、必要な書類群を一纏めにしつつ、インデックス部を参照することで、所望の書類を素早く取り出すことができる。
【００３０】
（第３の実施形態）
以下、図面を参照して、本発明の第３の実施形態の書類収納ファイルについて説明する。図１１は本実施形態の書類収納ファイル１の概略の正面図であり、図１２は背面図であり、図１３は実施態様の例を示す概略の斜視図であり、図１４は書類収納ファイル１を開いた状態を示す概略の斜視図である。第３の実施形態では、第１の実施形態並びに第２の実施形態と相違する点を中心に説明する。
【００３１】
この例では、第１ミシン目１７は、右辺１３Ａに近い位置から左辺１１に近い位置に近づくにしたがって、下辺１２との間隔が大きくなるように形成されている。第１ミシン目１７の開始位置は第１抜け止め部１５と接続可能に形成されているとともに、第１ミシン目１７の終了位置は第２裂け止め部２５と接続可能に形成されている。一例として、第１ミシン目１７の開始位置と第１裂け止め部１５の左端位置との間隔は１[ｍｍ]以上かつ２[ｍｍ]以下である。一例として、第１ミシン目１７の終了位置と第２裂け止め部２５の右端位置との間隔は１[ｍｍ]以上かつ２[ｍｍ]以下である。
【００３２】
また、この例では、左辺１１は第２ミシン目２７が形成されており、第２ミシン目２７は、第１ミシン目１７と接続可能に形成されているとともに、左辺１１における第１ミシン目１７との接続箇所から左辺１１における溶着部４までの区間を開口可能に形成されている。一例として、第２ミシン目２７の開始位置と第２裂け止め部２５の下端位置との間隔は１[ｍｍ]以上かつ２[ｍｍ]以下である。一例として、第２ミシン目２７の終了位置と下辺１２との間隔は５[ｍｍ]以上かつ１０[ｍｍ]以下である。
【００３３】
裏表紙３は、右辺１３Ｂに近い位置の第１端部領域において、外縁部側に設けられた第１起点から内方側へ進んでから外縁部側に設けられた第１終点に戻るように第１切込み線が入れられているとともに、前記第１起点と前記第１終点とを結ぶ線を基線として、前記第１起点および前記第１終点から最も離れた位置である第１頂部において前記第１切込み線を分ける第１留め部２０ａが形成されており、第１留め部２０ａが切り離されて前記第１頂部が起立することで表紙２に係止可能に形成されている主保持部２０を有し、且つ、主保持部２０の位置に対応する第１外縁部において、外方側へ突出させて設けられた第１インデックス部兼用の第１起立操作タブ２２を有する。この構成によれば、第１留め部２０ａが形成されているので、書類Ｐ１を差し込む際に裏表紙３における主保持部２０の位置に書類Ｐ１が引っ掛かることが防止できる。そして、表紙２と裏表紙３との間に書類Ｐ４を挟み込んだ後、表紙２を第１ミシン目１７に沿って開く前の状態のみならず、表紙２を第１ミシン目１７に沿って開いた状態においても、主保持部２０を起立させてから戻すように動作させることによって、主保持部２０で書類Ｐ４の端部を挟み込んで保持して留めることができる。また、第１起立操作タブ２２はインデックス部を兼ねる構成となっている。
【００３４】
続いて、書類収納ファイル１を用いた書類の収納方法について、図１３と図１４を参照して説明する。一例として、表紙２を第１ミシン目１７に沿って開いて上側の第１エリア２ａと下側の第２エリア２ｂとに分断し、また、左辺１１を第２ミシン目２７に沿って開いて左辺１１における第１ミシン目１７との接続箇所から左辺１１における溶着部４までの区間を開口する。そして、冊子となっている第４の書類（書類群）Ｐ４を、表紙２と裏表紙３との間に収納するとともに、表紙２と左辺１１とから切り離された状態の第２エリア２ｂを、第４の書類Ｐ４における契約書などの署名欄の記載頁Ｐ４ｂ並びに見積りなど重要事項の記載頁Ｐ４ａを開くためのしおりにして挟む。また、主保持部２０を第４の書類Ｐ４の署名欄の記載頁Ｐ４ｂよりも上まで起立させてから復元力によって戻すことによって、署名欄の記載頁Ｐ４ｂの右端部を挟み込んで保持する。
【００３５】
このように、上記構成による収納方法によれば、表紙２の第２エリアをしおりにして冊子等の書類Ｐ４に挟むことができる。よって、契約書など冊子の署名欄や重要事項の記載頁や見積りの記載頁を開いて示すことが容易にできる。
【００３６】
以上説明した通り、本発明によれば、きわめて簡素な構成により製造コスト、すなわち原材料コストおよび加工コストの増加を抑えつつ、複数の書類を仕分けして収納できるとともに、書類収納ファイルに収納した書類を取り出さずに当該書類にマーキングやメモ書きが可能になり、且つ、表紙を下敷きとして活用できるので、従来品にない新たな使い方ができて、さらに便利になり、尚且つ、第２エリアをしおりにして冊子等の書類に挟んでおき、契約書など冊子の署名欄や重要事項の記載頁や見積りの記載頁を開いて示すことが容易にできる。
【００３７】
本発明によれば、第１ミシン目で切り取れる構成により、一例として、Ａ３サイズの書面や冊子を収納して閲覧することができる。第１ミシン目で切り取ることで、第２エリアはポケット状になる構成により、Ａ５サイズなど小さいサイズの書面を収納することができる。主保持部に第１留め部がある構成により、Ａ５サイズなどの異サイズに最適な主保持部を選択して使用できるとともに、使用しない主保持部が起立して書類収納の妨げにならないように裏表紙と一体化することができる。
【００３８】
したがって、本発明によれば、簡素な構成としつつ、多機能の書類収納ファイルが実現できる。なお、上述の例では、収納対象として書類を例に挙げて説明したが、シート状の物品であれば書類と同様に収納することが可能である。本発明は、以上説明した実施例に限定されることなく、本発明を逸脱しない範囲において種々変更可能である。
【符号の説明】
【００３９】
１  書類収納ファイル
２  表紙、２ａ  第１エリア、２ｂ  第２エリア
３  裏表紙
４  溶着部
８  差し込み部
９ａ、９ｂ  切れ目
１１、１１Ａ、１１Ｂ  左辺
１２  下辺
１３、１３Ａ、１３Ｂ  右辺
１４、１４Ａ、１４Ｂ  上辺
１５  第1裂け止め部
１７  第１ミシン目
２０  主保持部、２０ａ  第１留め部
２２  第１起立操作タブ
２５  第２裂け止め部
２７  第２ミシン目
３０  副保持部、３０ａ  第２留め部
３２  第２起立操作タブ
【要約】
【課題】きわめて簡素な構成により製造コストの増加を抑えつつ、収納した書類を取り出さずに当該書類に署名や押印やマーキングやメモ書き等が可能な多機能の書類収納ファイルを提供する。
【解決手段】本発明に係る書類収納ファイル１は、樹脂製のシート材が山折りされて閉じられた左辺１１と、山折りされたシート材が溶着されて形成された溶着部４によって閉じられた下辺１２と、開口した上辺１４と、開口した右辺１３とを有する表紙２及び裏表紙３を備え、表紙２は右辺１３における溶着部４に近い位置から内方側へ切欠かれた第１裂け止め部１５が形成されており、表紙２と裏表紙３との間に書類を収納する構成であって、表紙２は第１ミシン目１７が形成されており、第１ミシン目１７は、第１裂け止め部１５と接続可能に形成されているとともに、表紙２を上側の第１エリア２ａと下側の第２エリア２ｂとに分断可能に形成されている構成である。
【選択図】図１１【図１】
0006694193.tif 000002
【図２】
0006694193.tif 000003
【図３】
0006694193.tif 000004
【図４】
0006694193.tif 000005
【図５】
0006694193.tif 000006
【図６】
0006694193.tif 000007
【図７】
0006694193.tif 000008
【図８】
0006694193.tif 000009
【図９】
0006694193.tif 000010
【図１０】
0006694193.tif 000011
【図１１】
0006694193.tif 000012
【図１２】
0006694193.tif 000013
【図１３】
0006694193.tif 000014
【図１４】
0006694193.tif 000015